(57)【要約】      （修正有）【課題】リビングダイニングとキッチンの間で死角をできる限り排除し、リビングダイニングからキッチンにわたり、連続的でかつ一体感のある広いスペースを確保することができる集合住宅における住戸のＬＤＫ構造を提供する。【解決手段】リビングダイニング５およびこれに面するキッチン６を備えた住戸が積層された集合住宅における住戸のＬＤＫ構造であって、リビングダイニング５からキッチン６にわたり、全体が平らに構成された天井８と、キッチン６の壁６ａから離れた状態で、キッチン６のリビングダイニング５側に設置されたＬＤ側調理用カウンター２１と、を備え、ＬＤ側調理用カウンター２１の上面全体から天井８にわたるスペースが、リビングダイニング５とキッチン６の間で開放されている。【選択図】図１
0003148530.tif 000002
【実用新案登録請求の範囲】
【請求項１】
リビングダイニングおよびこれに面するキッチンを備えた住戸が積層された集合住宅における住戸のＬＤＫ構造であって、
前記リビングダイニングから前記キッチンにわたり、全体が平らに構成された天井と、
前記キッチンの壁から離れた状態で、当該キッチンの前記リビングダイニング側に設置されたＬＤ側調理用カウンターと、を備え、
当該ＬＤ側調理用カウンターの上面全体から前記天井にわたるスペースが、前記リビングダイニングと前記キッチンの間で開放されていることを特徴とする集合住宅における住戸のＬＤＫ構造。
【請求項２】
前記キッチンの壁側に、前記ＬＤ側調理用カウンターと間隔を隔てて設置された壁側調理用カウンターを、さらに備え、
前記ＬＤ側調理用カウンターにはシンクが設けられ、前記壁側調理用カウンターには加熱調理機器が設けられていることを特徴とする請求項１に記載の集合住宅における住戸のＬＤＫ構造。
【請求項３】
前記シンクに接続され、当該シンクから水を排出するための排水管を、さらに備えており、
前記排水管は、前記キッチンの床面よりも上側を通り、当該キッチンの外部に延びるように配置されていることを特徴とする請求項２に記載の集合住宅における住戸のＬＤＫ構造。
【考案の詳細な説明】
【技術分野】
【０００１】
本考案は、マンションなどの集合住宅における住戸のリビングダイニングからキッチンにわたる構造（本明細書において「ＬＤＫ構造」という）に関し、特に、カウンターキッチンを備えた住戸のＬＤＫ構造に関する。
【背景技術】
【０００２】
近年、マンションなどの集合住宅では、キッチンが壁から離れ、リビングダイニングに面するようにレイアウトされたカウンターキッチン（対面型キッチン）を備えた住戸が増えている。このようなカウンターキッチンを備えた住戸として、例えば特許文献１に開示されたものが知られている。この住戸のキッチンは、リビングダイニングとの境界付近の横壁から延びる調理作業台としてのカウンター（以下、「調理用カウンター」という）を有しており、この調理用カウンターの上記横壁寄りの位置にコンロが、横壁から離れた位置にシンクが配置されている。また、調理用カウンターには、コンロのリビングダイニング側に、仕切壁が設けられている。この仕切壁は、上記横壁および天井に連なった状態で、リビングダイニングとキッチンとを仕切るように配置されており、この仕切壁により、調理時の油などのリビングダイニング側への飛び散りが防止される。なお、この仕切壁の上部には通常、調理の際にコンロに掛けた鍋などから発生する蒸気や煙などを外部に排出するためのレンジフードが設置される。
【０００３】
上記のようなカウンターキッチンを備えた住戸では、調理用カウンターのシンク上方のスペースが、リビングダイニングとキッチンの間で開放されている。これにより、例えば、料理や食器などを調理用カウンター越しに受け渡したり、キッチンにいる主婦が、リビングダイニングにいる家族と話しがら、調理や後片付けしたりすることができる。
【０００４】
しかし、前述したように、調理用カウンターのコンロ側には、リビングダイニングとキッチンを仕切る仕切壁が設けられているため、リビングダイニングやキッチンにいる者にとっては、自身のいるスペースを狭く感じることがある。また、例えば、キッチンにいる母親がコンロの前で調理し、幼い子供がリビングダイニングで遊んでいる場合、母親と子供にとって、相手の位置が仕切壁によって死角になることがある。この場合、母親にとっては、子供を見守りながら調理することができなくなることがあり、一方、子供にとっては、母親が見えないことで不安を感じ、泣き出してしまうことがある。
【０００５】
さらに、住戸が積層された集合住宅では一般に、キッチンのシンクに接続された排水管は、キッチンの床下を通って外部に延びるように配置されている。このため、例えば上下の住戸において、それらのキッチンが互いに上下の同じ位置にレイアウトされる場合、上側の住戸の排水管の配置スペースを確保するとともに、上下の住戸の境界部分の強度確保の観点から、その境界部分に配置されるコンクリートスラブや梁の厚さを十分に確保するために、下側の住戸では、キッチンの天井がいわゆる下がり天井となる。その結果、下側の住戸のキッチンでは、天井がリビングダイニングのそれに比べて低く、調理用カウンターのシンクの上方のスペースがリビングダイニングとキッチンの間で開放していても、リビングダイニングからキッチンにわたるスペースが、やはり狭く感じられる。
【０００６】
本考案は、以上のような課題を解決するためになされたものであり、リビングダイニングとキッチンの間で死角をできる限り排除し、リビングダイニングからキッチンにわたり、連続的でかつ一体感のある広いスペースを確保することができる集合住宅における住戸のＬＤＫ構造を提供することを目的とする。
【０００７】
【特許文献１】登録実用新案第３１４０２０３号公報
【考案の開示】
【課題を解決するための手段】
【０００８】
上記の目的を達成するために、請求項１に係る考案は、リビングダイニングおよびこれに面するキッチンを備えた住戸が積層された集合住宅における住戸のＬＤＫ構造であって、リビングダイニングからキッチンにわたり、全体が平らに構成された天井と、キッチンの壁から離れた状態で、キッチンのリビングダイニング側に設置されたＬＤ側調理用カウンターと、を備え、ＬＤ側調理用カウンターの上面全体から天井にわたるスペースが、リビングダイニングとキッチンの間で開放されていることを特徴とする。
【０００９】
この構成によれば、住戸が積層された集合住宅において、それらの住戸が、リビングダイニングおよびこれに面するキッチンを備えている。このキッチンには、その壁から離れた状態で、リビングダイニング側にＬＤ側調理用カウンターが設置されている。つまり、このキッチンは、カウンターキッチンになっている。また、住戸のリビングダイニングからキッチンにわたる天井全体が、平らに構成されているので、キッチンの天井が下がり天井である従来と異なり、リビングダイニングからキッチンにわたる天井を、連続的でかつすっきりとした構造にすることができる。さらに、ＬＤ側調理用カウンターの上面全体から天井にわたるスペースが、リビングダイニングとキッチンの間で開放されている。つまり、リビングダイニングとキッチンとを調理用カウンター上の仕切壁で仕切る従来と異なり、上記仕切壁が省略されている。以上により、本考案によれば、キッチンを一般的なカウンターキッチンと同様に利用できることに加えて、リビングダイニングとキッチンの間で死角をできる限り排除し、リビングダイニングからキッチンにわたり、連続的でかつ一体感のある広いスペースを確保することができる。
【００１０】
請求項２に係る考案は、請求項１に記載の集合住宅における住戸のＬＤＫ構造において、キッチンの壁側に、ＬＤ側調理用カウンターと間隔を隔てて設置された壁側調理用カウンターを、さらに備え、ＬＤ側調理用カウンターにはシンクが設けられ、壁側調理用カウンターには加熱調理機器が設けられていることを特徴とする。
【００１１】
この構成によれば、壁側調理用カウンターが、ＬＤ側調理用カウンターと間隔を隔ててキッチンの壁側に設置されており、ＬＤ側調理用カウンターにシンクが、壁側調理用カウンターに加熱調理機器が設けられている。これにより、例えば、キッチンにいる主婦や母親がＬＤ側調理用カウンターを使用する場合、リビングダイニングにいる家族と向かい合った状態で、調理したり、食器を洗ったりすることができ、加えて、リビングダイニングに幼い子供がいる場合には、その子供を常に見守りながら、調理や食器洗いなどを行うことができる。一方、キッチンにいる主婦や母親が壁側調理用カウンターを使用する場合、リビングダイニング側に背を向けた状態で、調理したり、火加減を調節したりするものの、リビングダイニングにいる家族からは、キッチンの主婦や母親が見えることで、その存在感を感じることができる。特に、リビングダイニングに幼い子供がいる場合には、母親が見えることで、その子供が不安になることがない。
【００１２】
請求項３に係る考案は、請求項２に記載の集合住宅における住戸のＬＤＫ構造において、シンクに接続され、シンクから水を排出するための排水管を、さらに備えており、排水管は、キッチンの床面よりも上側を通り、キッチンの外部に延びるように配置されていることを特徴とする。
【００１３】
この構成によれば、シンクに接続された排水管が、キッチンの床面よりも上側を通って、キッチンの外部に延びるように配置されているので、従来と異なり、キッチンの床下に排水管の配置スペースを確保する必要がない。これにより、上下の住戸において、それらのキッチンが互いに上下の同じ位置にレイアウトされている場合でも、下側の住戸のキッチンの天井が下がり天井となるのを回避することができる。したがって、各住戸において、リビングダイニングからキッチンにわたり、全体が平らに構成された天井を、容易に実現することができる。
【考案を実施するための最良の形態】
【００１４】
以下、図面を参照しながら、本考案の好ましい実施形態を詳細に説明する。図１は、本考案の一実施形態によるＬＤＫ構造を適用したマンションにおける一住戸のリビングダイニングおよびキッチンを示しており、図２は、その住戸の間取りを示している。このマンションは、鉄筋コンクリート造りの中層（例えば７階建て）の集合住宅である。図２に示すように、この住戸１は、３つの部屋２、３および４、リビングルーム５Ａ、ダイニングルーム５Ｂ、ならびにキッチン６を備えており、間取りが３ＬＤＫタイプのものである。なお、リビングルーム５Ａおよびダイニングルーム５Ｂは、互いに連なりかつ一体に構成されており、両者５Ａおよび５Ｂを特に区別しない場合には、リビングダイニング５と称呼するものとする。
【００１５】
図１および図２に示すように、この住戸１では、キッチン６がリビングダイニング５に面するようにレイアウトされている。リビングダイニング５およびキッチン６の床７は、この住戸１とその下側の住戸との境界部分に配置された水平なコンクリートスラブ１０（図３（ｂ）参照）の上側に床張りされた木質フローリングで構成されている。一方、リビングダイニング５およびキッチン６の天井８は、住戸１とその上側の住戸との境界部分に配置された水平なコンクリートスラブ１０の下側に、クロスなどが張り付けられており、リビングダイニング５からキッチン６にわたり、全体が平らに構成されている。
【００１６】
また、この住戸１のバルコニー１１側の壁（以下「バルコニー壁１２」という）には、リビングルーム５Ａ側に、引戸タイプの比較的大きな窓サッシ１３が設けられ、キッチン６側に、外開きタイプのドア１４が設けられている。また、キッチン６の床７において、ドア１４付近の部分（以下「高床部７ａ」という）が、床７の他の部分よりも一段高く構成されている。
【００１７】
なお、図１に示すリビングダイニング５のインテリアは一例であり、本例では、リビングルーム５Ａに、テレビ１５、カーペット１６およびソファ１７が置かれ、ダイニングルーム５Ｂに、ダイニングテーブル１８およびダイニングチェア１９が置かれている。
【００１８】
キッチン６は、リビングダイニング５側に設置されたＬＤ側調理用カウンター２１と、キッチン６の壁（以下「キッチン壁６ａ」という）側に、これに寄せた状態で設置された壁側調理用カウンター２２とを備えており、いわゆる２列型キッチンになっている。ＬＤ側調理用カウンター２１は、バルコニー壁１２から、それに直交する方向に所定長さ延びている。また、ＬＤ側調理用カウンター２１には、その長さ方向のほぼ中央にシンク２３が設けられ、そのシンク２３の上部に、水道水をシンク２３に供給するための水栓２４が設けられている。
【００１９】
一方、壁側調理用カウンター２２は、ＬＤ側調理用カウンター２１と所定間隔を隔てて平行に延びている。また、壁側調理用カウンター２２には、その上面の所定位置に、３口のガスコンロ２５（加熱調理機機）が設けられ、そのガスコンロ２５の下側に、グリル２６が設けられている。なお、図１に示すように、キッチン壁６ａには、ガスコンロ２５の上方にレンジフード２７が設けられ、そのレンジフード２７の左右に吊り戸棚２８が設けられている。
【００２０】
図３は、シンク２３内の水を外部に排出するための排水管３１のレイアウトを示している。同図（ａ）に示すように、排水管３１は、その一端部がシンク２３の底部の排水口２３ａに接続され、他端部が、柱３２と内壁３３の間のパイプスペース３４に上下方向に延びるように配置された共用排水管３５に接続されている。具体的には、排水管３１は、シンク２３から、ＬＤ側調理用カウンター２１、バルコニー壁１２、高床部７ａ、およびパイプスペース３４の内部を順に通って延びている。また、この排水管３１は、同図（ｂ）に示すように、高床部７ａ内を通されることで、床７の上面（床面）よりも上側を通って、キッチン６の外部に延びるように配置されている。なお、図３（ｂ）では省略するが、コンクリートスラブ１０と床７の間には、下側の住戸１に衝撃音などが伝わるのを抑制するための緩衝部材などが設けられている。
【００２１】
このように、シンク２３に接続された排水管３１が、キッチン６の床７よりも上側を通って、キッチン６の外部に延びるように配置されているので、キッチン６の床下に排水管３１の配置スペースを確保する必要がない。これにより、上下の住戸１、１において、それらのキッチン６、６が互いに上下の同じ位置にレイアウトされている場合でも、下側の住戸１のキッチン６の天井８が下がり天井となるのを回避することができる。したがって、各住戸１において、リビングダイニング５からキッチン６にわたり、全体が平らに構成された天井８を、容易に実現することができる。
【００２２】
図４は、上述したキッチン６および従来の一般的なカウンターキッチン（以下「従来キッチン４１」という）を対比して示している。同図（ａ）に示すキッチン６では、上述したとおり、リビングダイニング５からキッチン６にわたる天井８の全体が平らに構成され、シンク２３が設けられたＬＤ側調理用カウンター２１の上面全体から天井８にわたるスペースが、リビングダイニング５とキッチン６の間で開放されている。
【００２３】
一方、図４（ｂ）に示す従来キッチン４１では、リビングダイニング４２側に調理用カウンター４３が設置され、その調理用カウンター４３には、その先端側（同図の手前側）にシンク４４が、バルコニー壁４５寄りの位置にガスコンロ４６が設けられている。また、調理用カウンター４３には、ガスコンロ４６のリビングダイニング４２側に、仕切壁４７が設けられている。この仕切壁４７は、バルコニー壁４５および従来キッチン４１の天井４１ａに連なり、リビングダイニング４２と従来キッチン４１とを仕切っている。そして、この仕切壁４７のガスコンロ４６の上方には、レンジフード４８が設置されている。
【００２４】
さらに、従来キッチン４１では、シンク４４に接続された排水管（図示せず）が、床４９の下側を通って、従来キッチン４１の外部に延びるように配置されている。それにより、この従来キッチン４１の天井４１ａは、上側の住戸の排水管が同様に配置されていることから、リビングダイニング４２の天井４２ａよりも低く、下がり天井になっている。また、従来キッチン４１の天井４１ａには、調理用カウンター４３の上方に、吊り戸棚５０が設置されている。
【００２５】
上記のような従来キッチン４１を備えた住戸では、リビングダイニング４２と従来キッチン４１との間が仕切壁４７で仕切られているために、両者４２および４１の間で死角が生じやすく、リビングダイニング４２やキッチン４１にいる者にとっては、自身のいるスペースを狭く感じてしまう。また、従来キッチン４１の天井４１ａが、リビングダイニング４２の天井４２ａよりも低く、しかも、天井４１ａの調理用カウンター４３の上方に吊り戸棚５０が設置されているために、リビングダイニング４２から従来キッチン４１にわたるスペースが、やはり狭く感じられる。
【００２６】
これに対し、本実施形態によれば、リビングダイニング５からキッチン６にわたる天井８の全体が、平らに構成されているので、天井４１ａが下がり天井である従来キッチン４１を備えた従来の住戸と異なり、リビングダイニング５からキッチン６にわたる天井８を、連続的でかつすっきりとした構造にすることができる。また、ＬＤ側調理用カウンター２１の上面全体から天井８にわたるスペースが、リビングダイニング５とキッチン６の間で開放されており、従来キッチン４１のような仕切壁４７が省略されている。以上のように、本実施形態によれば、キッチン６を一般的なカウンターキッチンと同様に利用できることに加えて、リビングダイニング５とキッチン６の間で死角をできる限り排除し、リビングダイニング５からキッチン６にわたり、連続的でかつ一体感のある広いスペースを確保することができる。
【００２７】
また、ＬＤ側調理用カウンター２１にはシンク２３が、壁側調理用カウンター２２にはガスコンロ２５が設けられている。これにより、例えば、キッチン６にいる主婦や母親がＬＤ側調理用カウンター２１を使用する場合、リビングダイニング５にいる家族と向かい合った状態で、調理したり、食器を洗ったりすることができ、加えて、リビングダイニング５に幼い子供がいる場合には、その子供を常に見守りながら、調理や食器洗いなどを行うことができる。一方、キッチン６にいる主婦や母親が壁側調理用カウンター２２を使用する場合、リビングダイニング５側に背を向けた状態で、調理したり、火加減を調節したりするものの、リビングダイニング５にいる家族からは、キッチン６の主婦や母親が見えることで、その存在感を感じることができる。特に、リビングダイニング５に幼い子供がいる場合には、母親が見えることで、その子供が不安になることがない。
【００２８】
以上説明したように、本実施形態の住戸１のＬＤＫ構造により、リビングダイニング５からキッチン６にわたり、連続的でかつ一体感のある広いスペースを確保できるので、家族がそのスペースのどこにいても、常に触れ合うことができ、一家団らんに好適な住戸を提供することができる。
【００２９】
なお、実施形態で示した住戸１、リビングダイニング５およびキッチン６の細部の構成などは、あくまで例示であり、本考案の趣旨の範囲内で適宜、変更することができる。例えば、天井８において、コンクリートスラブ１０の下面にクロスを直接張り付ける他、コンクリートスラブ１０の下方に間隔をあけて水平に配置された天井パネルの下面にクロスを張り付け、二重天井を構成してもよい。また、壁側調理用カウンター２２に、加熱調理機器としてガスコンロ２５を設置したが、これに代えて、ＩＨクッキングヒータなどの他の種類の加熱調理機器を採用してもよい。
【図面の簡単な説明】
【００３０】
【図１】本考案の一実施形態によるＬＤＫ構造を適用したマンションにおける住戸のリビングダイニングおよびキッチンを示す図である。
【図２】住戸の間取りを示す図である。
【図３】シンクに接続された排水管のレイアウトを説明するための図であり、（ａ）は平面図、（ｂ）は（ａ）のIIIb−IIIb線に沿う断面図である。
【図４】（ａ）は、図１のキッチンを中心に示す図であり、（ｂ）は、従来の一般的なキッチンを示す図である。
【符号の説明】
【００３１】
１    住戸
５    リビングダイニング
５Ａ  リビングルーム
５Ｂ  ダイニングルーム
６    キッチン
６ａ  キッチン壁
７    床
７ａ  高床部
８    天井
２１    ＬＤ側調理用カウンター
２２    壁側調理用カウンター
２３    シンク
２５    ガスコンロ（加熱調理機器）
３１    排水管
【図１】
0003148530.tif 000003
【図２】
0003148530.tif 000004
【図３】
0003148530.tif 000005
【図４】
0003148530.tif 000006